(57)【要約】セッション複製を実行するための方法および装置が提供される。第１のＷＴＲＵ（ワイヤレス送信／受信ユニット）と遠隔デバイスの間の通信セッションが、第１のＷＴＲＵ上でも、遠隔デバイス上でも、この通信セッションを妨げることなしに第２のＷＴＲＵを、この通信セッションに追加するように複製されることが可能である。この通信セッションは、ポリシー、または通信セッション複製要求に応答してネットワークユニットによって複製されることが可能である。第１のＷＴＲＵ、または第２のＷＴＲＵが、通信セッション複製要求を送信することによってセッション複製を開始することが可能である。セッション複製は、この通信セッションに関連付けられた１つまたは複数のメディアフローの複製を含み得る。セッション複製は、この通信セッションの制御を移すこと、または共有することを含み得る。
2013511239.tif 000002
【特許請求の範囲】
【請求項１】
ワイヤレス通信において使用するための方法であって、
第１のＷＴＲＵ（ワイヤレス送信／受信ユニット）から第１のネットワークに通信セッション複製要求を送信するステップであって、前記通信セッション複製要求は、遠隔デバイスに関連付けられた通信セッションを示すステップと、
前記第１のＷＴＲＵにおいて前記通信セッションを受信するステップと
を備えることを特徴とする方法。
【請求項２】
前記通信セッション複製要求を送信するステップは、前記通信セッションが前記第１のＷＴＲＵに関連付けられており、さらに前記通信セッション複製要求が第２のＷＴＲＵを示すという条件付きで、実行されることを特徴とする請求項１に記載の方法。
【請求項３】
前記通信セッション複製要求を送信するステップは、前記通信セッションが前記第２のＷＴＲＵに関連付けられているという条件付きで、実行されることを特徴とする請求項１に記載の方法。
【請求項４】
前記通信セッション複製要求は、メディアフローを示し、さらに前記通信セッションを受信するステップは、前記メディアフローを受信するステップを含むことを特徴とする請求項１に記載の方法。
【請求項５】
前記通信セッション複製要求を送信するステップは、前記遠隔デバイスに前記通信セッション複製要求を送信するステップを含むことを特徴とする請求項１に記載の方法。
【請求項６】
前記通信セッション複製要求は、セッション制御を移転する要求を示すことを特徴とする請求項１に記載の方法。
【請求項７】
装置は、前記第１のＷＴＲＵを含み、
前記通信セッションを第２のＷＴＲＵにおいて受信するステップであって、前記装置は、前記第２のＷＴＲＵを含む、ステップをさらに備えることを特徴とする請求項１に記載の方法。
【請求項８】
ワイヤレス通信において使用するための装置であって、
第１のネットワークに通信セッション複製要求を送信するように構成され、前記通信セッション複製要求は、遠隔デバイスに関連付けられた通信セッションを示し、さらに
前記通信セッションを受信するように構成された第１のＷＴＲＵ（ワイヤレス送信／受信ユニット）を備えることを特徴とする装置。
【請求項９】
前記第１のＷＴＲＵは、前記通信セッションが前記第１のＷＴＲＵに関連付けられており、さらに前記通信セッション複製要求が第２のＷＴＲＵを示すという条件付きで、送信するように構成されることを特徴とする請求項８に記載の装置。
【請求項１０】
前記第１のＷＴＲＵは、前記通信セッションが前記第２のＷＴＲＵに関連付けられているという条件付きで、送信するように構成されることを特徴とする請求項８に記載の装置。
【請求項１１】
前記通信セッション複製要求は、メディアフローを示し、さらに前記第１のＷＴＲＵは、前記メディアフローを受信するように構成されることを特徴とする請求項８に記載の装置。
【請求項１２】
前記第１のＷＴＲＵは、前記遠隔デバイスに前記通信セッション複製要求を送信するように構成されることを特徴とする請求項８に記載の装置。
【請求項１３】
装置は、前記第１のＷＴＲＵを含み、
前記通信セッションを第２のＷＴＲＵにおいて受信し、前記装置は、前記第２のＷＴＲＵを含むことを特徴とする請求項８に記載の装置。
【請求項１４】
ワイヤレス通信において使用するための方法であって、
遠隔デバイスから関連付けられた通信セッションを受信するステップと、
前記通信セッションを第１のＷＴＲＵ（ワイヤレス送信／受信ユニット）に送信するステップと、
前記通信セッションを複製するステップと、
前記複製された通信セッションを第２のＷＴＲＵに送信するステップと
を備えることを特徴とする方法。
【請求項１５】
前記通信セッションを示す通信セッション複製要求を受信するステップをさらに備えることを特徴とする請求項１４に記載の方法。
【発明の詳細な説明】
【技術分野】
【０００１】
本発明は、デバイス間におけるセッションの複製技術に関する。
【背景技術】
【０００２】
関連出願の相互参照
本出願は、参照により内容が本明細書に組み込まれている２００９年１１月１６日に出願した米国特許仮出願第６１／２６１，４２１号明細書の利益を主張するものである。
【０００３】
ＷＴＲＵ（ワイヤレス送信／受信ユニット）が、無線アクセスネットワーク、例えば、ＵＴＲＡＮ（ＵＭＴＳ（ユニバーサルモバイルテレコミュニケーションズシステム（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ））地上無線アクセスネットワーク（Ｔｅｒｒｅｓｔｒｉａｌ  Ｒａｄｉｏ  Ａｃｃｅｓｓ  Ｎｅｔｗｏｒｋ））、ＬＴＥ（ロングタームエボリューション（Ｌｏｎｇ  Ｔｅｒｍ  Ｅｖｏｌｕｔｉｏｎ））ネットワーク、ＷｉＭＡＸ（ワールドワイドインターオペラビリティフォーマイクロウェイブアクセス（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ））ネットワーク、またはＷＬＡＮ（ワイヤレスローカルエリアネットワーク（Ｗｉｒｅｌｅｓｓ  Ｌｏｃａｌ  Ａｒｅａ  Ｎｅｔｗｏｒｋ））ネットワークなどのアクセスネットワークを介して遠隔ユニットとの通信セッションに参加することが可能である。したがって、ＷＴＲＵが第２のＷＴＲＵ上で通信セッションを複製することが有利である。
【発明の概要】
【０００４】
セッション複製を実行するための方法および装置が、提供される。第１のＷＴＲＵ（ワイヤレス送信／受信ユニット）と遠隔デバイスの間の通信セッションが、第１のＷＴＲＵ上でも、遠隔デバイス上でも、この通信セッションを妨げることなしに第２のＷＴＲＵを、この通信セッションに追加するように複製されることが可能である。この通信セッションは、ポリシー、または通信セッション複製要求に応答してネットワークユニットによって複製されることが可能である。第１のＷＴＲＵ、または第２のＷＴＲＵが、通信セッション複製要求を送信することによってセッション複製を開始することが可能である。セッション複製は、この通信セッションに関連付けられた１つまたは複数のメディアフローの複製を含み得る。セッション複製は、この通信セッションの制御を移すこと、または共有することを含み得る。
【図面の簡単な説明】
【０００５】
【図１Ａ】１つまたは複数の開示される実施形態が実施され得る例示的な通信システムを示すシステム図である。
【図１Ｂ】図１Ａに示される通信システム内で使用され得る例示的なＷＴＲＵ（ワイヤレス送信／受信ユニット）を示すシステム図である。
【図１Ｃ】図１Ａに示される通信システム内で使用され得る例示的な無線アクセスネットワーク、および例示的なコアネットワークを示すシステム図である。
【図２】インターネットプロトコルマルチメディアサブシステムの例を示す図である。
【図３】第三者呼制御を使用する通信セッションの例を示す図である。
【図４】第一者呼制御を使用する通信セッションの例を示す図である。
【図５】第三者呼制御を使用するセッション複製の方法の例を示す図である。
【図６】第一者呼制御を使用するセッション複製の方法の例を示す図である。
【図７】第三者呼制御を使用する複製された通信セッションの例を示す図である。
【図８】第一者呼制御を使用する複製された通信セッションの例を示す図である。
【発明を実施するための形態】
【０００６】
添付の図面と併せて例として与えられる以下の説明から、より詳細な理解を得ることができる。
【０００７】
図１Ａは、１つまたは複数の開示される実施形態が実施され得る例示的な通信システム１００の図である。通信システム１００は、音声、データ、ビデオ、メッセージング、ブロードキャストなどのコンテンツを複数のワイヤレスユーザに供給する多元接続システムであることが可能である。通信システム１００は、複数のワイヤレスユーザが、ワイヤレス帯域幅を含むシステムリソースを共有することを介して、そのようなコンテンツにアクセスすることを可能にすることができる。例えば、通信システム１００は、ＣＤＭＡ（符号分割多元接続）、ＴＤＭＡ（時分割多元接続）、ＦＤＭＡ（周波数分割多元接続）、ＯＦＤＭＡ（直交ＦＤＭＡ）、ＳＣ−ＦＤＭＡ（シングルキャリアＦＤＭＡ）などの１つまたは複数のチャネルアクセス方法を使用することが可能である。
【０００８】
図１Ａに示されるとおり、通信システム１００は、ＷＴＲＵ（ワイヤレス送信／受信ユニット）１０２ａ、１０２ｂ、１０２ｃ、１０２ｄと、ＲＡＮ（無線アクセスネットワーク）１０４と、コアネットワーク１０６と、ＰＳＴＮ（公衆交換電話網）１０８と、インターネット１１０と、他のネットワーク１１２とを含み得るが、開示される実施形態は、任意の数のＷＴＲＵ、基地局、ネットワーク、および／またはネットワーク要素を企図することが理解されよう。ＷＴＲＵ１０２ａ、１０２ｂ、１０２ｃ、１０２ｄのそれぞれは、ワイヤレス環境において動作し、さらに／または通信するように構成された任意のタイプのデバイスであり得る。例として、ＷＴＲＵ１０２ａ、１０２ｂ、１０２ｃ、１０２ｄは、ワイヤレス信号を送信するように、さらに／または受信するように構成されることが可能であり、さらにＵＥ（ユーザ機器）、移動局、固定加入者ユニットもしくはモバイル加入者ユニット、ポケットベル、セルラ電話機、ＰＤＡ（携帯情報端末）、スマートフォン、ラップトップ、ネットブック、パーソナルコンピュータ、ワイヤレスセンサ、家庭用電子機器などを含むことが可能である。
【０００９】
また、通信システム１００は、基地局１１４ａおよび基地局１１４ｂを含むことも可能である。基地局１１４ａ、１１４ｂのそれぞれは、コアネットワーク１０６、インターネット１１０、および／またはネットワーク１１２などの１つまたは複数の通信ネットワークへのアクセスを円滑にするようにＷＴＲＵ１０２ａ、１０２ｂ、１０２ｃ、１０２ｄの少なくとも１つとワイヤレスでインターフェースをとるように構成された任意のタイプのデバイスであり得る。例として、基地局１１４ａおよび１１４ｂは、ＢＴＳ（基地局トランシーバ）、ノードＢ、ｅＮｏｄｅＢ、ホームノードＢ、ホームｅＮｏｄｅＢ、サイトコントローラ、ＡＰ（アクセスポイント）、ワイヤレスルータなどであり得る。基地局１１４ａ、１１４ｂはそれぞれ、単一の要素として図示されるが、基地局１１４ａ、１１４ｂは、任意の数の互いに接続された基地局および／またはネットワーク要素を含み得ることが理解されよう。
【００１０】
基地局１１４ａは、他の基地局、および／またはＢＳＣ（基地局コントローラ）、ＲＮＣ（無線ネットワークコントローラ）、中継ノードなどの他の基地局および／またはネットワーク要素（図示せず）を含むことも可能なＲＡＮ１０４の一部であり得る。基地局１１４ａおよび／または基地局１１４ｂは、セル（図示せず）と呼ばれ得る特定の地理的区域内でワイヤレス信号を送信するように、さらに／または受信するように構成され得る。セルは、セルセクタにさらに分割されることが可能である。例えば、基地局１１４ａに関連付けられたセルが、３つのセクタに分割されることが可能である。このため、一実施形態において、基地局１１４ａは、３つの、すなわち、セルの各セクタにつき１つのトランシーバを含み得る。別の実施形態において、基地局１１４ａは、ＭＩＭＯ（多入力多出力）技術を使用することが可能であり、したがって、セルの各セクタにつき複数のトランシーバを利用することが可能である。
【００１１】
基地局１１４ａ、１１４ｂは、任意の適切なワイヤレス通信リンク（例えば、ＲＦ（無線周波数）、マイクロ波、ＩＲ（赤外線）、ＵＶ（紫外線）、可視光など）であり得る無線インターフェース１１６を介して、ＷＴＲＵ１０２ａ、１０２ｂ、１０２ｃ、１０２ｄの１つまたは複数と通信することが可能である。無線インターフェース１１６は、任意の適切なＲＡＴ（無線アクセス技術）を使用して確立され得る。
【００１２】
より具体的には、前述したとおり、通信システム１００は、多元接続システムであってもよく、さらにＣＤＭＡ、ＴＤＭＡ、ＦＤＭＡ、ＯＦＤＭＡ、ＳＣ−ＦＤＭＡなどの１つまたは複数のチャネルアクセススキームを使用することが可能である。例えば、ＲＡＮ１０４における基地局１１４ａ、およびＷＴＲＵ１０２ａ、１０２ｂ、１０２ｃは、ＷＣＤＭＡ（広帯域ＣＤＭＡ）を使用して無線インターフェース１１６を確立することが可能なＵＴＲＡ（ＵＭＴＳ（ユニバーサルモバイルテレコミュニケーションズシステム）地上無線アクセス）などの無線技術を実施することが可能である。ＷＣＤＭＡは、ＨＳＰＡ（高速パケットアクセス）および／またはＨＳＰＡ＋（発展型ＨＳＰＡ）などの通信プロトコルを含むことが可能である。ＨＳＰＡは、ＨＳＤＰＡ（高速ダウンリンクパケットアクセス）および／またはＨＳＵＰＡ（高速アップリンクパケットアクセス）を含み得る。
【００１３】
別の実施形態において、基地局１１４ａおよびＷＴＲＵ１０２ａ、１０２ｂ、１０２ｃは、ＬＴＥ（ロングタームエボリューション）および／またはＬＴＥ−Ａ（ＬＴＥアドバンスト）を使用して無線インターフェース１１６を確立することが可能なＥ−ＵＴＲＡ（発展型ＵＭＴＳ地上無線アクセス）などの無線技術を実施することが可能である。
【００１４】
他の実施形態において、基地局１１４ａ、およびＷＴＲＵ１０２ａ、１０２ｂ、１０２ｃは、ＩＥＥＥ８０２．１６（すなわち、ＷｉＭＡＸ（ワールドワイドインターオペラビリティフォーマイクロウェイブアクセス））、ＣＤＭＡ２０００、ＣＤＭＡ２０００  １Ｘ、ＣＤＭＡ２０００  ＥＶ−ＤＯ、ＩＳ−２０００（暫定標準２０００）、ＩＳ−９５（暫定標準９５）、ＩＳ−８５６（暫定標準８５６）、ＧＳＭ（グローバルシステムフォーモバイルコミュニケーションズ（Ｇｌｏｂａｌ  Ｓｙｓｔｅｍ  ｆｏｒ  Ｍｏｂｉｌｅ  Ｃｏｍｍｕｎｉｃａｔｉｏｎｓ））、ＥＤＧＥ（エンハンストデータレートフォーＧＳＭエボリューション（Ｅｎｈａｎｃｅｄ  Ｄａｔａ  ｒａｔｅ  ｆｏｒ  ＧＳＭ  Ｅｖｏｌｕｔｉｏｎ））、ＧＥＲＡＮ（ＧＳＭ  ＥＤＧＥ）などの無線技術を実施することが可能である。
【００１５】
図１Ａにおける基地局１１４ｂは、例えば、ワイヤレスルータ、ホームノードＢ、ホームｅＮｏｄｅＢ、またはアクセスポイントであることが可能であり、さらに事業所、自宅、車両、キャンパスなどの局所化された区域内でワイヤレス接続を円滑にするために任意の適切なＲＡＴを利用することが可能である。一実施形態において、基地局１１４ｂおよびＷＴＲＵ１０２ｃ、１０２ｄは、ＩＥＥＥ８０２．１１などの無線技術を実施して、ＷＬＡＮ（ワイヤレスローカルエリアネットワーク）を確立することが可能である。別の実施形態において、基地局１１４ｂおよびＷＴＲＵ１０２ｃ、１０２ｄは、ＩＥＥＥ８０２．１５などの無線技術を実施して、ＷＰＡＮ（ワイヤレスパーソナルエリアネットワーク）を確立することが可能である。さらに別の実施形態において、基地局１１４ｂおよびＷＴＲＵ１０２ｃ、１０２ｄは、セルラベースのＲＡＴ（例えば、ＷＣＤＭＡ、ＣＤＭＡ２０００、ＧＳＭ、ＬＴＥ、ＬＴＥ−Ａなど）を利用して、ピコセルまたはフェムトセルを確立することが可能である。図１Ａに示されるとおり、基地局１１４ｂは、インターネット１１０に対する直接の接続を有し得る。このため、基地局１１４ｂは、コアネットワーク１０６を介してインターネット１１０にアクセスすることを要求されない場合がある。
【００１６】
ＲＡＮ１０４は、ＷＴＲＵ１０２ａ、１０２ｂ、１０２ｃ、１０２ｄの１つまたは複数に、音声、データ、アプリケーション、および／またはＶｏＩＰ（ボイスオーバインターネットプロトコル）サービスを提供するように構成された任意のタイプのネットワークであり得るコアネットワーク１０６と、通信状態にあることが可能である。例えば、コアネットワーク１０６は、呼制御、料金請求サービス、モバイルロケーションベースのサービス、プリペイドの通話、インターネット接続、ビデオ配信などを提供することが可能であり、さらに／またはユーザ認証などの高レベルのセキュリティ機能を実行することが可能である。図１Ａには示されないものの、ＲＡＮ１０４および／またはコアネットワーク１０６は、ＲＡＮ１０４と同一のＲＡＴまたは異なるＲＡＴを使用する他のＲＡＮと直接または間接の通信状態にあることが可能である。例えば、Ｅ−ＵＴＲＡ無線技術を利用していることが可能なＲＡＮ１０４に接続されていることに加えて、コアネットワーク１０６は、ＧＳＭ無線技術を使用する別のＲＡＮ（図示せず）と通信状態にあることも可能である。
【００１７】
また、コアネットワーク１０６は、ＷＴＲＵ１０２ａ、１０２ｂ、１０２ｃ、１０２ｄがＰＳＴＮ１０８、インターネット１１０、および／または他のネットワーク１１２にアクセスするゲートウェイの役割をすることも可能である。ＰＳＴＮ１０８は、ＰＯＴＳ（旧来の電話サービス）を提供する公衆交換電話網を含むことが可能である。インターネット１１０は、ＴＣＰ／ＩＰインターネットプロトコルスイートにおけるＴＣＰ（伝送制御プロトコル）、ＵＤＰ（ユーザデータグラムプロトコル）、およびＩＰ（インターネットプロトコル）などの共通の通信プロトコルを使用する互いに接続されたコンピュータネットワークおよびコンピュータデバイスの地球規模のシステムを含み得る。ネットワーク１１２は、他のサービスプロバイダによって所有され、さらに／または運用される有線通信ネットワークまたはワイヤレス通信ネットワークを含み得る。例えば、ネットワーク１１２は、ＲＡＮ１０４と同一のＲＡＴまたは異なるＲＡＴを使用することが可能な、１つまたは複数のＲＡＮに接続された別のコアネットワークを含み得る。
【００１８】
通信システム１００内のＷＴＲＵ１０２ａ、１０２ｂ、１０２ｃ、１０２ｄのいくつか、またはすべては、マルチモード能力を含む可能性があり、すなわち、ＷＴＲＵ１０２ａ、１０２ｂ、１０２ｃ、１０２ｄは、異なるワイヤレスリンクを介して異なるワイヤレスネットワークと通信するための複数のトランシーバを含み得る。例えば、図１Ａに示されるＷＴＲＵ１０２ｃは、セルラベースの無線技術を使用することが可能な基地局１１４ａ、およびＩＥＥＥ８０２無線技術を使用することが可能な基地局１１４ｂと通信するように構成され得る。
【００１９】
図１Ｂは、例示的なＷＴＲＵ１０２のシステム図である。図１Ｂに示されるとおり、ＷＴＲＵ１０２は、プロセッサ１１８と、トランシーバ１２０と、送信／受信要素１２２と、スピーカ／マイクロフォン１２４と、キーパッド１２６と、ディスプレイ／タッチパッド１２８と、非リムーバブルメモリ１０６と、リムーバブルメモリ１３２と、電源１３４と、ＧＰＳ（全地球測位システム）チップセット１３６と、他の周辺装置１３８とを含み得る。ＷＴＲＵ１０２は、或る実施形態と整合性を保ったままで、以上の要素の部分的組合せを含み得ることが理解されよう。
【００２０】
プロセッサ１１８は、汎用プロセッサ、専用プロセッサ、従来のプロセッサ、ＤＳＰ（デジタルシグナルプロセッサ）、複数のマイクロプロセッサ、ＤＳＰコアに関連する１つまたは複数のマイクロプロセッサ、コントローラ、マイクロコントローラ、ＡＳＩＣ（特定用途向け集積回路）、ＦＰＧＡ（フィールドプログラマブルゲートアレイ）回路、他の任意のタイプのＩＣ（集積回路）、状態マシンなどであることが可能である。プロセッサ１１８は、ＷＴＲＵ１０２がワイヤレス環境で動作することを可能にする信号符号化、データ処理、電力制御、入出力処理、および／または他の任意の機能を実行することが可能である。プロセッサ１１８は、送信／受信要素１２２に結合され得るトランシーバ１２０に結合され得る。図１Ｂは、プロセッサ１１８とトランシーバ１２０を別々の構成要素として示すが、プロセッサ１１８とトランシーバ１２０は、電子パッケージまたは電子チップの中で統合されてもよいことが理解されよう。
【００２１】
送信／受信要素１２２は、無線インターフェース１１６を介して基地局（例えば、基地局１１４ａ）に信号を送信するように、または基地局（例えば、基地局１１４ａ）から信号を受信するように構成され得る。例えば、一実施形態において、送信／受信要素１２２は、ＲＦ信号を送信するように、さらに／または受信するように構成されたアンテナであり得る。別の実施形態において、送信／受信要素１２２は、例えば、ＩＲ信号、ＵＶ信号、または可視光信号を送信するように、さらに／または受信するように構成されたエミッタ／検出器であり得る。さらに別の実施形態において、送信／受信要素１２２は、ＲＦ信号と光信号の両方を送受信するように構成され得る。送信／受信要素１２２は、ワイヤレス信号の任意の組合せを送信するように、さらに／または受信するように構成され得ることが理解されよう。
【００２２】
さらに、送信／受信要素１２２は、図１Ｂに単一の要素として示されるものの、ＷＴＲＵ１０２は、任意の数の送信／受信要素１２２を含み得る。より具体的には、ＷＴＲＵ１０２は、ＭＩＭＯ技術を使用することが可能である。このため、一実施形態において、ＷＴＲＵ１０２は、無線インターフェース１１６を介してワイヤレス信号を送受信するための２つ以上の送信／受信要素１２２（例えば、複数のアンテナ）を含み得る。
【００２３】
トランシーバ１２０は、送信／受信要素１２２によって送信されるべき信号を変調するように、さらに送信／受信要素１２２によって受信された信号を復調するように構成されることが可能である。前述したとおり、ＷＴＲＵ１０２は、マルチモード能力を有し得る。このため、トランシーバ１２０は、ＷＴＲＵ１０２が、例えば、ＵＴＲＡやＩＥＥＥ８０２．１１などの複数のＲＡＴを介して通信することを可能にするための複数のトランシーバを含み得る。
【００２４】
ＷＴＲＵ１０２のプロセッサ１１８は、スピーカ／マイクロフォン１２４、キーパッド１２６、および／またはディスプレイ／タッチパッド１２８（例えば、ＬＣＤ（液晶ディスプレイ）ディスプレイユニットまたはＯＬＥＤ（有機発光ダイオード）ディスプレイユニット）に結合され得るとともに、スピーカ／マイクロフォン１２４、キーパッド１２６、および／またはディスプレイ／タッチパッド１２８からユーザ入力データを受け取ることが可能である。また、プロセッサ１１８は、スピーカ／マイクロフォン１２４、キーパッド１２６、および／またはディスプレイ／タッチパッド１２８にユーザデータを出力することも可能である。さらに、プロセッサ１１８は、非リムーバブルメモリ１０６、および／またはリムーバブルメモリ１３２などの任意のタイプの適切なメモリからの情報にアクセスすることが可能であり、さらにそのようなメモリの中にデータを格納することが可能である。非リムーバブルメモリ１０６には、ＲＡＭ（ランダムアクセスメモリ）、ＲＯＭ（読み取り専用メモリ）、ハードディスク、または他の任意のタイプのメモリストレージデバイスが含まれ得る。リムーバブルメモリ１３２には、ＳＩＭ（加入者ＩＤモジュール）カード、メモリスティック、ＳＤ（セキュアデジタル）メモリカードなどが含まれ得る。他の実施形態において、プロセッサ１１８は、サーバまたは自宅コンピュータ（図示せず）などの、ＷＴＲＵ１０２上に物理的に配置されていないメモリからの情報にアクセスすることが可能であり、さらにそのようなメモリの中にデータを格納することが可能である。
【００２５】
プロセッサ１１８は、電源１３４から電力を受け取ることが可能であり、さらにＷＴＲＵ１０２内のその他の構成要素に対して電力を配電し、さらに／または制御するように構成され得る。電源１３４は、ＷＴＲＵ１０２に電力を供給するための任意の適切なデバイスであり得る。例えば、電源１３４は、１つまたは複数の乾電池（例えば、ＮｉＣｄ（ニッケルカドミウム）、ＮｉＺｎ（ニッケル亜鉛）、ＮｉＭＨ（ニッケル水素）、Ｌｉ−ｉｏｎ（リチウムイオン））、太陽電池、燃料電池などを含み得る。
【００２６】
また、プロセッサ１１８は、ＷＴＲＵ１０２の現在のロケーションに関するロケーション情報（例えば、緯度と経度）を提供するように構成され得るＧＰＳチップセット１３６に結合されることも可能である。ＧＰＳチップセット１３６からの情報に加えて、またはそのような情報の代わりに、ＷＴＲＵ１０２は、無線インターフェース１１６を介して基地局（例えば、基地局１１４ａ、１１４ｂ）からロケーション情報を受信し、さらに／または近くの２つ以上の基地局から受信されている信号のタイミングに基づいて、ＷＴＲＵ１０２のロケーションを算出してもよい。ＷＴＲＵ１０２は、或る実施形態と整合性を保ったままで、任意の適切なロケーション特定方法によってロケーション情報を獲得し得ることが理解されよう。
【００２７】
プロセッサ１１８は、さらなる特徴、機能、および／または有線接続もしくはワイヤレス接続を提供する１つまたは複数のソフトウェアモジュールおよび／またはハードウェアモジュールを含むことが可能な他の周辺装置１３８にさらに結合され得る。例えば、周辺装置１３８は、加速度計、電子コンパス（ｅ−ｃｏｍｐａｓｓ）、衛星トランシーバ、デジタルカメラ（写真またはビデオのための）、ＵＳＢ（ユニバーサルシリアルバス）ポート、振動デバイス、テレビトランシーバ、ハンズフリーハンドセット、Ｂｌｕｅｔｏｏｔｈ（登録商標）モジュール、ＦＭ（周波数変調）ラジオユニット、デジタル音楽プレーヤ、メディアプレーヤ、ビデオゲームプレーヤモジュール、インターネットブラウザなどを含み得る。
【００２８】
図１Ｃは、或る実施形態によるＲＡＮ１０４およびコアネットワーク１０６のシステム図である。前述したとおり、ＲＡＮ１０４は、Ｅ−ＵＴＲＡ無線技術を使用して、無線インターフェース１１６を介してＷＴＲＵ１０２ａ、１０２ｂ、１０２ｃと通信することが可能である。また、ＲＡＮ１０４は、コアネットワーク１０６と通信状態にあることも可能である。
【００２９】
ＲＡＮ１０４は、ｅＮｏｄｅＢ１４０ａ、１４０ｂ、１４０ｃを含み得るが、ＲＡＮ１０４は、或る実施形態と整合性を保ったままで、任意の数のｅＮｏｄｅＢを含み得ることが理解されよう。ｅＮｏｄｅＢ１４０ａ、１４０ｂ、１４０ｃはそれぞれ、無線インターフェース１１６を介してＷＴＲＵ１０２ａ、１０２ｂ、１０２ｃと通信するための１つまたは複数のトランシーバを含み得る。一実施形態において、ｅＮｏｄｅＢ１４０ａ、１４０ｂ、１４０ｃは、ＭＩＭＯ技術を実施することが可能である。このため、例えば、ｅＮｏｄｅＢ１４０ａは、複数のアンテナを使用して、ＷＴＲＵ１０２ａにワイヤレス信号を送信すること、およびＷＴＲＵ１０２ａからワイヤレス信号を受信することが可能である。
【００３０】
ｅＮｏｄｅＢ１４０ａ、１４０ｂ、１４０ｃのそれぞれが、特定のセル（図示せず）に関連付けられることが可能であり、さらに無線リソース管理決定、ハンドオーバ決定、アップリンクおよび／またはダウンリンクにおけるユーザのスケジューリングなどを扱うように構成され得る。図１Ｃに示されるとおり、ｅＮｏｄｅＢ１４０ａ、１４０ｂ、１４０ｃは、Ｘ２インターフェースを介して互いに通信することが可能である。
【００３１】
図１Ｃに示されるコアネットワーク１０６は、ＭＭＥ（移動性管理ゲートウェイ）１４２と、サービングゲートウェイ１４４と、ＰＤＮ（パケットデータネットワーク）ゲートウェイ１４６とを含み得る。以上の要素のそれぞれは、コアネットワーク１０６の一部として図示されるが、これらの要素の任意の要素が、コアネットワーク運用者以外のエンティティによって所有され、さらに／または運用されることが可能であることが理解されよう。
【００３２】
ＭＭＥ１４２は、Ｓ１インターフェースを介してＲＡＮ１０４におけるｅＮｏｄｅＢ１４２ａ、１４２ｂ、１４２ｃのそれぞれに接続されることが可能であり、さらに制御ノードの役割をすることが可能である。例えば、ＭＭＥ１４２は、ＷＴＲＵ１０２ａ、１０２ｂ、１０２ｃのユーザを認証すること、ベアラ活性化／不活性化、ＷＴＲＵ１０２ａ、１０２ｂ、１０２ｃの初期アタッチ中に特定のサービングゲートウェイを選択することなどを担うことが可能である。また、ＭＭＥ１４２は、ＲＡＮ１０４と、ＧＳＭまたはＷＣＤＭＡなどの他の無線技術を使用する他のＲＡＮ（図示せず）の間で切り換えるための制御プレーン機能をもたらすことも可能である。
【００３３】
サービングゲートウェイ１４４は、Ｓ１インターフェースを介してＲＡＮ１０４におけるｅＮｏｄｅＢ１４０ａ、１４０ｂ、１４０ｃのそれぞれに接続され得る。サービングゲートウェイ１４４は、一般に、ＷＴＲＵ１０２ａ、１０２ｂ、１０２ｃに／からユーザデータパケットをルーティングすること、および転送することが可能である。また、サービングゲートウェイ１４４は、ｅＮｏｄｅＢ間ハンドオーバ中にユーザプレーンをアンカリングすること、ＷＴＲＵ１０２ａ、１０２ｂ、１０２ｃのためのダウンリンクデータが利用可能な場合にページングをトリガすること、ＷＴＲＵ１０２ａ、１０２ｂ、１０２ｃのコンテキストを管理すること、および格納することなどの、他の機能を実行することも可能である。
【００３４】
また、サービングゲートウェイ１４４は、インターネット１１０などのパケット交換ネットワークに対するアクセスをＷＴＲＵ１０２ａ、１０２ｂ、１０２ｃにもたらして、ＷＴＲＵ１０２ａ、１０２ｂ、１０２ｃとＩＰ対応のデバイスの間の通信を円滑にすることが可能なＰＤＮゲートウェイ１４６に接続されることも可能である。
【００３５】
コアネットワーク１０６は、他のネットワークとの通信を円滑にすることが可能である。例えば、コアネットワーク１０６は、ＰＳＴＮ１０８などの回線交換網に対するアクセスをＷＴＲＵ１０２ａ、１０２ｂ、１０２ｃにもたらして、ＷＴＲＵ１０２ａ、１０２ｂ、１０２ｃと従来の陸線通信デバイスの間の通信を円滑にすることが可能である。例えば、コアネットワーク１０６は、コアネットワーク１０６とＰＳＴＮ１０８の間のインターフェースの役割をするＩＰゲートウェイ（例えば、ＩＭＳ（ＩＰマルチメディアサブシステム）サーバ）を含む、またはそのようなＩＰゲートウェイと通信することが可能である。さらに、コアネットワーク１０６は、他のサービスプロバイダによって所有され、さらに／または運用される他の有線ネットワークまたはワイヤレスネットワークを含み得るネットワーク１１２に対するアクセスを、ＷＴＲＵ１０２ａ、１０２ｂ、１０２ｃにもたらすことが可能である。
【００３６】
ワイヤレス通信は、ＩＭＳ（ＩＭ（ＩＰマルチメディア）サブシステム）を使用することを含み得る。例えば、図１Ｃに示されるＬＴＥ、または他の任意のＲＡＮ／コアネットワークにおいて、その他のネットワーク１１２は、ＩＭＳを含み得る。ＩＭＳを使用する通信セッションが、１つのＷＴＲＵから別のＷＴＲＵに移される、または複製されることが可能である。
【００３７】
図２は、ＷＴＲＵ（ワイヤレス送信／受信ユニット）２１０と通信状態にある、ＩＭＳ（ＩＭ（ＩＰマルチメディア）サブシステム）２００と、ＩＭネットワーク２０２と、ＣＳ（回線交換）ネットワーク２０４と、レガシーネットワーク２０６とを含むＩＭ  ＣＮ（ＩＰ（インターネットプロトコル）マルチメディアコアネットワーク）の例の図である。ＩＭＳ２００は、パケット交換ドメインを介して配信されるオーディオ、ビデオ、テキスト、チャット、またはそれらの組合せなどのＩＭサービスの提供のためのＣＮ（コアネットワーク）要素を含む。図示されるとおり、ＩＭＳ２００は、ＨＳＳ（ホーム加入者サーバ）２２０と、ＡＳ（アプリケーションサーバ）２３０と、ＣＳＣＦ（呼セッション制御機能）２４０と、ＢＧＦ（ブレイクアウトゲートウェイ機能）２５０と、ＭＧＦ（メディアゲートウェイ機能）２６０と、ＳＣＣ  ＡＳ（Service Centralization and Continuity Application Server：サービス集中化および継続性アプリケーションサーバ）２７０とを含む。図２に示される論理エンティティおよび信号パスに加えて、ＩＭＳは、１つまたは複数の物理的デバイス内に配置され得る論理エンティティの他の任意の構成を含み得る。この論理上の例に示されないものの、ＷＴＲＵは、別個の物理的ユニットであることが可能であり、さらにノードＢまたはｅＮＢ（エンハンストノードＢ）などの基地局を介してＩＭ  ＣＮに接続され得る。
【００３８】
ＷＴＲＵ２１０は、有線環境および／またはワイヤレス環境において動作するように、さらに／または通信するように構成された任意のタイプのデバイスであり得る。
【００３９】
ＨＳＳ２２０は、ＩＭセッションを扱うネットワークエンティティをサポートする加入関係の情報を保持し、提供することが可能である。例えば、ＨＳＳは、ＩＭＳユーザに関する識別情報、セキュリティ情報、ロケーション情報、およびプロファイル情報を含み得る。
【００４０】
ＳＩＰアプリケーションサーバ、ＯＳＡアプリケーションサーバ、またはＣＡＭＥＬ  ＩＭ−ＳＳＦであることが可能なＡＳ２３０は、付加価値ＩＭサービスを提供することが可能であり、さらにホームネットワークまたは第三者ロケーションに存在することが可能である。ＡＳは、ホームネットワーク、コアネットワーク、またはスタンドアロンのＡＳネットワークなどのネットワーク内に含められることが可能である。ＡＳは、ＩＭサービスを提供することが可能である。例えば、ＡＳは、終端ＵＡ（ユーザエージェント）、リダイレクトサーバ、発信元ＵＡ、ＳＩＰプロキシ、または第三者呼制御の機能を実行することが可能である。
【００４１】
ＣＳＣＦ２４０は、Ｐ−ＣＳＣＦ（プロキシＣＳＣＦ）、Ｓ−ＣＳＣＦ（サービングＣＳＣＦ）、Ｅ−ＣＳＣＦ（緊急ＣＳＣＦ）、またはＩ−ＣＳＣＦ（呼掛けＣＳＣＦ）を含み得る。例えば、Ｐ−ＣＳＣＦは、ＩＭＳ内でＷＴＲＵのための第１のコンタクトポイントを提供することが可能であり、Ｓ−ＣＳＣＦは、セッション状態を扱うことが可能であり、さらに、Ｉ−ＣＳＣＦは、事業者のネットワーク内で、そのネットワーク事業者の加入者に向けられた、またはそのネットワーク事業者のサービスエリア内に現在、位置しているローミングする加入者に向けられたＩＭＳ接続のためのコンタクトポイントを提供することが可能である。
【００４２】
ＢＧＦ２５０は、ＩＢＣＦ（Interconnection Border Control Function：相互接続境界制御機能）、ＢＧＣＦ（Breakout Gateway Control Function：ブレイクアウトゲートウェイ制御機能）、またはＴｒＧＷ（Transition Gateway：遷移ゲートウェイ）を含むことが可能である。ＢＧＦの一部分として説明されるものの、ＩＢＣＦ、ＢＧＣＦ、またはＴｒＧＷはそれぞれ、別個の論理エンティティを表すことが可能であり、さらに１つまたは複数の物理エンティティ内に配置されることが可能である。
【００４３】
ＩＢＣＦは、事業者ドメイン間で相互接続を実行するＳＩＰ／ＳＤＰプロトコル層におけるアプリケーション特有の機能を提供することが可能である。例えば、ＩＢＣＦは、ＳＩＰアプリケーション間の通信、ネットワークトポロジの隠蔽、トランスポートプレーンを制御する機能、ＳＩＰシグナリング情報のスクリーニング、適切なシグナリング相互接続を選択すること、および料金請求データレコードの生成を可能にし得る。
【００４４】
ＢＧＣＦは、ＳＩＰメッセージなどのＩＭＳメッセージのルーティングを決定することが可能である。この決定は、シグナリングプロトコルで受信される情報、管理情報、またはデータベースアクセスに基づくことが可能である。例えば、ＰＳＴＮ／ＣＳドメイン終端に関して、ＢＧＣＦは、ＰＳＴＮ／ＣＳドメインブレイクアウトが行われるべきネットワークを決定することが可能であり、さらにＭＧＣＦを選択することが可能である。
【００４５】
ＴｒＧＷは、メディアパス上に配置されることが可能であり、ＩＢＣＦによって制御されることが可能であり、さらにネットワークアドレスおよびポートの変換、ならびにプロトコル変換を提供することが可能である。
【００４６】
ＭＧＦ２６０は、ＭＧＣＦ（メディアゲートウェイ制御機能）、ＭＲＦＣ（マルチメディアリソース機能コントローラ）、ＭＲＦＰ（マルチメディアリソース機能プロセッサ）、ＩＭＳ−ＭＧＷ（ＩＰマルチメディアサブシステム−メディアゲートウェイ機能）、またはＭＲＢ（メディアリソースブローカ）を含むことが可能である。ＭＧＦの一部分として説明されるものの、ＭＧＣＦ、ＭＲＦＣ、ＭＲＦＰ、ＩＭＳ−ＭＧＷ、またはＭＲＢはそれぞれ、別個の論理エンティティを表すことが可能であり、さらに１つまたは複数の物理エンティティ内に配置されることが可能である。
【００４７】
ＭＧＣＦは、ＩＭＳにおいてメディアチャネルの呼状態接続制御を制御することが可能であり、ＣＳＣＦ、ＢＧＣＦ、および回線交換網エンティティと通信することが可能であり、レガシーネットワークからの着信する呼に関するルーティングを決定することが可能であり、ＩＳＵＰ／ＴＣＡＰ呼制御プロトコルとＩＭサブシステム呼制御プロトコルの間でプロトコル変換を実行することが可能であり、さらにＭＧＣＦにおいて受信された帯域外情報をＣＳＣＦ／ＩＭＳ−ＭＧＷに転送することが可能である。
【００４８】
ＭＲＦＣおよびＭＲＦＰは、メディアストリームリソースを制御することが可能である。ＭＲＦＣおよびＭＲＦＰは、着信するメディアストリームをミキシングすることが可能であり、例えば、マルチメディア告知に関して、メディアストリームを情報源として読む（ｓｏｕｒｃｅ）ことが可能であり、オーディオトランスコーディングを実行すること、またはメディア分析などによって、メディアストリームを処理することが可能であり、さらに、例えば、会議環境において、共有されるリソースに対するアクセス権を管理することなどによって、フロアコントロール（ｆｌｏｏｒ  ｃｏｎｔｒｏｌ）を提供することが可能である。
【００４９】
ＩＭＳ−ＭＧＷは、回線交換網からのベアラチャネル、ならびにＩＰネットワークにおけるＲＴＰストリームなどのパケットネットワークからのメディアストリームを終端させることが可能である。ＩＭＳ−ＭＧＷは、コーデック、エコーキャンセラ、または会議ブリッジなどのメディア変換、ベアラ制御、およびペイロード処理をサポートすることが可能である。ＩＭＳ−ＭＧＷは、リソース制御のためにＭＧＣＦと対話することが可能であり、エコーキャンセラなどのリソースを管理し、コーデックを含むことが可能である。ＩＭＳ−ＭＧＷは、ＵＭＴＳ／ＧＳＭトランスポートメディアをサポートするためのリソースを含むことが可能である。
【００５０】
ＭＲＢは、複数の異種のアプリケーションによる異種のＭＲＦリソースのプールの共有をサポートすることが可能である。ＭＲＢは、例えば、指定されたＭＲＦ属性に基づいて、消費するアプリケーションによって要求されるとおり、特定のＭＲＦリソースを呼に割り当てることが可能であり、または開放する。例えば、或るアプリケーションにＭＲＦリソースを割り当てる際、ＭＲＢは、その一つの呼、または複数の呼のために要求されるメディアリソースの特定の特性、そのアプリケーションのＩＤ、異なるアプリケーションにわたってＭＲＦリソースを割り当てることに関する規則、アプリケーションごと、または加入者ごとのＳＬＡ基準またはＱｏＳ基準、または特定のＭＲＦリソースの容量モデルを評価することが可能である。
【００５１】
ＳＣＣ  ＡＳ２７０は、例えば、サブスクリプションにおいて、複数のＷＴＲＵの間で、通信セッションの複製、移転、追加、または削除などの通信セッションサービス継続性を提供することが可能である。ＳＣＣ  ＡＳは、アクセス移転、セッション移転もしくはセッション複製、Ｔ−ＡＤＳ（終端アクセスドメイン選択）、および複数のメディアフローを扱うことを実行することが可能である。ＳＣＣ  ＡＳは、１つまたは複数のアクセスネットワークにわたってメディアフローを組み合わせる、または分割することが可能である。例えば、セッションのセットアップ中にさらなるアクセスネットワーク上にメディアフローを追加するようＷＴＲＵによって要求が行われると、または１つまたは複数のアクセスネットワーク上のメディアフローを既存のセッションに追加するよう、もしくは削除するようＷＴＲＵによって要求が行われると、メディアフローが、セッション移転、セッション終了のために分割される、または組み合わされることが可能である。
【００５２】
通信セッションは、図１Ｂに示されるＷＴＲＵのようなＷＴＲＵと、遠隔デバイスの間で、図１Ａに示される通信システムのような通信システムを使用して実行され得る。ＷＴＲＵは、図１Ｃに示されるＲＡＮのようなＲＡＮ、または他の任意の有線アクセスネットワークもしくはワイヤレスアクセスネットワークを介して通信システムにアクセスすることが可能である。通信セッションは、図２に示されるＩＭＳによって提供されるＩＭ（ＩＰマルチメディア）サービスのようなサービスを含むことが可能である。本明細書ではＩＭＳを参照して説明されるものの、セッション複製は、任意の通信システムまたはアクセスネットワークを使用して実行され得る。
【００５３】
ＷＴＲＵ、遠隔デバイス、またはネットワークは、通信セッションを制御することが可能である。通信セッションの制御は、例えば、メディアフローを開始すること、もしくは停止すること、メディアフローを追加すること、もしくは除去すること、メディアフローを別のＷＴＲＵ上に移転すること、もしくは複製すること、ビットレートを調整すること、または通信を終了させることを含み得る。例えば、或るＷＴＲＵが、遠隔デバイスと通信セッションを開始することが可能である。そのＷＴＲＵが、その通信セッションを最初に制御することが可能である。ＷＴＲＵは、その通信セッションの制御を渡してもよく、遠隔デバイスと共有してもよい。
【００５４】
図３は、ＩＭＳを使用するＷＴＲＵ３１０と遠隔デバイス３２０の間の通信セッション３００の例の図を示す。通信セッション３００は、図２に示されるＩＭ  ＣＮなどのネットワーク３５０を介する、ＷＴＲＵ３１０と遠隔デバイス３２０の間のメディアフロー３３０（メディアパス）および制御シグナリング３４０（制御パス）を含み得る。ＩＭ  ＣＮ３５０は、ＳＣＣ  ＡＳ３５２、ＡＳ３５４、ＣＳＣＦ３５６、およびＭＧＦ３５８を含むことが可能である。
【００５５】
通信セッション３００は、ＷＴＲＵ３１０に関連するＳＣＣ  ＡＳ３５２にアンカリングされ得る。例えば、ＳＣＣ  ＡＳ３５２が、メディアフロー識別子や制御するデバイスの識別子などの、通信セッションに関する情報を保持することが可能であり、さらに通信セッション３００のために、セッション複製などの呼制御を提供することが可能である。簡明のため、ＷＴＲＵ３１０とＳＣＣ  ＡＳ３５２の間の通信セッションの部分はアクセスレッグと呼ばれる場合があり、さらにＳＣＣ  ＡＳ３５２と遠隔デバイス３２０の間の通信セッションの部分は遠隔レッグと呼ばれる場合がある。
【００５６】
ＩＭＳを使用して通信セッション３００を確立するのに、ＷＴＲＵ３１０は、ＩＭ  ＣＮ３５０を介して接続（アクセスレッグ）を開始することが可能である。ＷＴＲＵ３１０が、ＭＧＦ３５８を介してメディアフロー３３０を受信し、さらにＣＳＣＦ３５６を介して制御シグナリング３４０を受信することが可能である。遠隔デバイス３２０は、インターネット３６０を介するなど、遠隔ネットワーク（遠隔レッグ）を介して通信セッション３００に参加することが可能である。
【００５７】
図４は、ＩＭＳを使用する、ＷＴＲＵ４１０と遠隔ユニット４２０の間のピアツーピア通信セッション４００の例の図を示す。通信セッション４００は、図２に示されるＩＭ  ＣＮのようなＩＭ  ＣＮ４５０を含み得るネットワークを介して確立されたメディアフロー４３０および制御シグナリング４４０を含み得る。ＩＭ  ＣＮ４５０は、ＣＳＣＦ４５２と、ＭＧＦ４５８とを含み得る。ＷＴＲＵ４１０は、ＩＭ  ＣＮの使用なしに、遠隔デバイスから直接に制御信号およびメディアフローを受信することも可能である。
【００５８】
ＩＭＳを使用して通信セッション４００を確立するために、ＷＴＲＵ４１０は、ＩＭ  ＣＮ４５０を介して接続（アクセスレッグ）を開始することが可能である。このアクセスレッグにおいて、ＷＴＲＵ４１０は、ＭＧＦ４５８を介してメディアフロー４３０を受信することが可能であり、さらにＣＳＣＦ４５２を介して制御シグナリング４４０を受信することが可能である。ＷＴＲＵ４１０または遠隔ユニット４２０、またはＷＴＲＵ４１０と遠隔ユニット４２０の両方が、通信セッション４００に関して、通信を維持し、さらにセッション複製などの呼制御機能を実行することが可能である。遠隔デバイス４２０は、インターネット４６０を介するなど、遠隔ネットワーク（遠隔レッグ）を介して通信セッション４００に参加することが可能である。
【００５９】
セッション複製は、図３および図４に示される通信セッションのような通信セッションに関して実行され得る。セッション複製は、ソースＷＴＲＵ上でも、遠隔デバイス上でも通信セッションを妨げることなしに、通信セッション、または通信セッションの一部分をターゲットＷＴＲＵ上に複製することにより、ソースＷＴＲＵと遠隔デバイスの間の通信セッションのアクセスレッグに１つまたは複数のターゲットＷＴＲＵを追加することを含み得る。例えば、第１のメディアフローが、第１のターゲットＷＴＲＵ上に複製されることが可能であり、さらに第２のメディアフローが、第２のターゲットＷＴＲＵ上に複製されることが可能である。別の例において、第１のメディアフローが、第１のターゲットＷＴＲＵ上、および第２のターゲットＷＴＲＵ上に複製されることが可能である。ターゲットＷＴＲＵは、別個の物理的ユニットであってもよく（マルチユニットセッション複製）、単一の物理的ユニットにおける別個の物理的インターフェースであってもよい（マルチ接続セッション複製）。
【００６０】
ソースＷＴＲＵとターゲットＷＴＲＵは、ＳＣＣ  ＡＳなどの第三者にアンカリングされ得る協調セッションを介して関連付けられることが可能である。この協調セッションは、セッション複製に先立って確立されてもよく、またはセッション複製中に確立されてもよい。
【００６１】
ソースＷＴＲＵ、ターゲットＷＴＲＵ、またはネットワークが、セッション複製を開始することが可能である。例えば、ソースＷＴＲＵまたはターゲットＷＴＲＵが、ユーザ入力、コンテキスト、または信号品質に応答してセッション複製を開始することが可能である。別の例において、ＳＣＣ  ＡＳなどのネットワークデバイスが、ポリシーまたはサービス中断に応答してセッション複製を開始することが可能である。ソースＷＴＲＵが、その通信セッションを最初に制御することが可能であり、または遠隔デバイスと制御を共有してもよい。ソースＷＴＲＵは、制御をターゲットＷＴＲＵに渡してもよく、ターゲットＷＴＲＵと制御を共有してもよい。図５および図６は、簡明のため、ソースＷＴＲＵ５０２／６０２によって開始されたセッション複製を示すものの、ターゲットＷＴＲＵ５０４／６０４によって開始された、またはネットワークによって開始されたセッション複製が使用されてもよい。
【００６２】
図５は、ＩＭＳを使用するセッション複製の方法の例の図である。ソースＷＴＲＵ５０２が、５１０で、図３に示されるとおり、遠隔デバイス５０８を相手に、アクセスレッグを介して、メディアフロー（メディアフローＡ）を含む通信セッションを実行していることが可能である。簡明のため、図５にはＳＣＣ  ＡＳ５０６のみ示されているが、通信パスは、図２および図３に示されるＩＭ  ＣＮの他の要素、および／または図１Ａおよび図１Ｃに示されるＲＡＮを含み得る。単一のメディアフロー、および単一のターゲットＷＴＲＵ５０４が示されるものの、セッション複製は、任意の数のＷＴＲＵにわたる任意の数の通信セッションおよびメディアフローの複製を含み得る。
【００６３】
５２０で、ソースＷＴＲＵ５０２が、ＳＣＣ  ＡＳ５０６に通信セッション複製要求を送信することによってセッション複製を開始することが可能である。このセッション複製は、例えば、発見中に受信される情報などの、ターゲットＷＴＲＵ５０４からの情報に基づいて、またはソースＷＴＲＵ５０２のユーザもしくは加入者からの入力に応答して、開始されることが可能である。その要求は、ターゲットメディアフロー（メディアフローＡ）のＩＤ、ターゲットＷＴＲＵ（ＷＴＲＵ−２）５０４のＩＤを含むことが可能であり、さらに協調セッションの使用を示すことが可能である。
【００６４】
５３０で、ＳＣＣ  ＡＳ５０６が、ターゲットＷＴＲＵ５０４上でアクセスレッグを確立することが可能であり、メディアフローを複製することが可能であり、さらに複製されたメディアフローをターゲットＷＴＲＵ５０４に送信することが可能である。５４０で、ＳＣＣ  ＡＳ５０６が、複製要求が受信され、処理されたことを示すことが可能な通信セッション複製応答をソースＷＴＲＵ５０２に送信することが可能である。この複製応答は、複製要求が受け入れられたこと、または、例えば、サポートされないサーバ、リソースの不足、またはターゲットＷＴＲＵ５０４を相手にアクセスレッグを確立することができないことに起因して、その要求が拒否されたことを示し得る。
【００６５】
５５０で、ソースＷＴＲＵ５０２が、協調セッションなどにおいて、セッション制御を保持することが可能であり、さらにターゲットＷＴＲＵ５０４が、制御されるＷＴＲＵになることが可能である。図５は、簡明のため、ソースＷＴＲＵ５０２によって保持されるセッション制御を示すものの、通信セッションは、ソースＷＴＲＵ５０２によって、ターゲットＷＴＲＵ５０４によって、ネットワークによって、またはそれらの組合せによって制御されてもよい。
【００６６】
５６０で、ソースＷＴＲＵ５０２およびターゲットＷＴＲＵ５０４がそれぞれ、メディアフローを実行することによって通信セッションを続けることが可能である。ソースＷＴＲＵ５０２またはターゲットＷＴＲＵ５０４が、メディアフローを実行することを停止することが可能である。制御するＷＴＲＵが、通信セッションを終了させる、または変更することが可能である。
【００６７】
図６は、ピアツーピア通信セッションに関するセッション複製の方法の例の図である。６１０で、ソースＷＴＲＵ６０２が、図３に示されるとおり、ＩＭ  ＣＮなどのネットワークを介して遠隔デバイス６０８を相手に、メディアフロー（メディアフローＡ）を含む通信セッションを実行していることが可能である。簡明のため、ＣＳＣＦ６０６のみ示されているが、通信パスは、図２および図３のＩＭ  ＣＮの他の要素、および／または図１Ａおよび図１Ｃに示されるＲＡＮを含むことが可能である。さらに、単一のＣＳＣＦ６０６が示されるものの、通信パスは、複数のＣＦＣＦを含むことが可能であり、例えば、ソースＷＴＲＵ６０２、ターゲットＷＴＲＵ６０４、および遠隔デバイス６０８がそれぞれ、異なるＣＦＣＦに関連することが可能である。単一のメディアフロー、および単一のターゲットＷＴＲＵ６０４が示されるものの、セッション複製は、任意の数のＷＴＲＵにわたる任意の数の通信セッションおよびメディアフローの複製を含み得る。
【００６８】
６２０で、ソースＷＴＲＵ６０２が、ＣＳＣＦ６０６を介して遠隔デバイス６０８に通信セッション複製要求を送信することによってセッション複製を開始することが可能である。セッション複製は、例えば、発見中に受信される情報などの、ターゲットＷＴＲＵ６０４からの情報に基づいて、またはソースＷＴＲＵ６０２のユーザもしくは加入者からの入力に応答して、開始されることが可能である。その要求は、ターゲットメディアフロー（メディアフローＡ）のＩＤ、およびターゲットＷＴＲＵ６０４のＩＤを含むことが可能である。
【００６９】
６３０で、遠隔デバイス６０８が、ターゲットＷＴＲＵ６０４上でアクセスレッグを確立することが可能であり、メディアフローＡを複製することが可能であり、さらに複製のメディアフローをターゲットＷＴＲＵ６０４に送信することが可能である。６４０で、遠隔デバイス６０８が、複製要求が受信され、処理されたことを示すことが可能な通信セッション複製応答を、ＣＳＣＦ６０６を介してソースＷＴＲＵ６０２に送信することが可能である。この複製応答は、複製要求が受け入れられたこと、または、例えば、サポートされないサーバ、リソースの不足、またはターゲットＷＴＲＵ６０４を相手にアクセスレッグを確立することができないことに起因して、その要求が拒否されたことを示し得る。
【００７０】
簡明のため図６には示されないものの、ピアツーピア通信セッションに関するセッション複製は、セッション制御と、協調セッションとを含むことが可能である。この通信セッションは、ソースＷＴＲＵ５０２によって、またはターゲットＷＴＲＵ５０４によって、またはソースＷＴＲＵ５０２とターゲットＷＴＲＵ５０４の両方によって制御されることが可能である。
【００７１】
６５０で、ソースＷＴＲＵ６０２およびターゲットＷＴＲＵ６０４がそれぞれ、メディアフローを実行することによって通信セッションを続けることが可能である。ソースＷＴＲＵ６０２またはターゲットＷＴＲＵ６０４が、メディアフローを実行することを停止することが可能である。
【００７２】
図７は、複製された通信セッション７００の例の図を示す。ソースＷＴＲＵ７１０およびターゲットＷＴＲＵ７１５が、図２に示されるＩＭ  ＣＮのようなネットワーク７５０を介して、遠隔デバイス７２０を相手に複製された通信セッション７００に参加することが可能である。ＩＭ  ＣＮ７５０は、ＳＣＣ  ＡＳ７５２と、ＡＳ７５４と、ＣＳＣＦ７５６と、ＭＧＦ７５８とを含み得る。
【００７３】
通信セッション７００は、ＷＴＲＵ７１０に関連するＳＣＣ  ＡＳ７５２にアンカリングされることが可能である。簡明のため、ＷＴＲＵ７１０／７１５とＳＣＣ  ＡＳ７５２の間の通信セッションの部分はアクセスレッグと呼ばれる場合があり、さらにＳＣＣ  ＡＳ７５２と遠隔デバイス７２０の間の通信セッションの部分は遠隔レッグと呼ばれる場合がある。
【００７４】
アクセスレッグ上で、ソースＷＴＲＵ７１０およびターゲットＷＴＲＵ７１５が、ＭＧＦ７５８を介して、複製されたメディアフロー７７０Ａ／７７０Ｂを受信することが可能であり、さらにＳＣＣ  ＡＳ７５２およびＣＳＣＦ７５６を介して、複製された制御シグナリング７４０Ａ／７４０Ｂを受信することが可能である。遠隔デバイス７２０は、インターネット７６０を介するなど、遠隔ネットワークを介して通信セッション７００に参加することが可能である。
【００７５】
図８は、複製されたピアツーピア通信セッション８００の例の図を示す。ソースＷＴＲＵ８１０およびターゲットＷＴＲＵ８１５が、図２に示されるＩＭ  ＣＮのようなネットワーク８５０を介して遠隔デバイス８２０を相手に、複製されたピアツーピア通信セッション８００に参加することが可能である。ＩＭ  ＣＮ８５０は、ＣＳＣＦ８５６と、ＭＧＦ８５８とを含み得る。
【００７６】
簡明のため、ＷＴＲＵ８１０／８１５とＣＳＣＦ８５６の間の通信セッションの部分はアクセスレッグと呼ばれる場合があり、さらにＣＳＣＦ８５６と遠隔デバイス８２０の間の通信セッションの部分は遠隔レッグと呼ばれる場合がある。
【００７７】
アクセスレッグ上で、ソースＷＴＲＵ８１０およびターゲットＷＴＲＵ８１５が、ＭＧＦ８５８を介して、複製されたメディアフロー８８０Ａ／８８０Ｂを受信することが可能であり、さらにＣＳＣＦ８５６を介して、複製された制御シグナリング８４０Ａ／８４０Ｂを受信することが可能である。遠隔デバイス８２０は、インターネット８６０を介するなど、遠隔ネットワークを介して通信セッション８００に参加することが可能である。図８は、メディアフローを、ＭＧＦ８５８によって複製されているものとして示すが、メディアフローは、例えば、複数の送信機を使用して、遠隔デバイス８２０によって複製されてもよい。
【００７８】
（実施形態）
１．  ワイヤレス通信において使用するための方法であって、
通信セッションを複製するステップを備える方法。
２．  通信セッションを複製するステップは、アクセスレッグ経由で通信セッションを実行するステップを含む前述した実施形態のいずれか一実施形態に記載の方法。
３．  通信セッションを複製するステップは、第１のＷＴＲＵと遠隔デバイスの間の通信セッションを複製するステップを含む前述した実施形態のいずれか一実施形態に記載の方法。
４．  通信セッションを複製するステップは、通信セッションに第２のＷＴＲＵを追加するステップを含む前述した実施形態のいずれか一実施形態に記載の方法。
５．  通信セッションを複製するステップは、通信セッションに第２のＷＴＲＵを追加するステップを含む、アクセスレッグに第２のＷＴＲＵを追加するステップを含む前述した実施形態のいずれか一実施形態に記載の方法。
６．  通信セッションを複製するステップは、通信セッション複製要求を送信するステップを含む前述した実施形態のいずれか一実施形態に記載の方法。
７．  通信セッションを複製するステップは、第１のＷＴＲＵ（ワイヤレス送信／受信ユニット）によって開始される前述した実施形態のいずれか一実施形態に記載の方法。
８．  通信セッションを複製するステップは、第２のＷＴＲＵ（ワイヤレス送信／受信ユニット）によって開始される前述した実施形態のいずれか一実施形態に記載の方法。
９．  通信セッションを複製するステップは、ネットワークによって開始される前述した実施形態のいずれか一実施形態に記載の方法。
１０．  通信セッション複製要求を送信するステップは、ネットワークに通信セッション複製要求を送信するステップを含む前述した実施形態のいずれか一実施形態に記載の方法。
１１．  通信セッション複製要求を送信するステップは、ＩＭＳネットワークに通信セッション複製要求を送信するステップを含む前述した実施形態のいずれか一実施形態に記載の方法。
１２．  通信セッション複製要求を送信するステップは、ＳＣＣ  ＡＳに通信セッション複製要求を送信するステップを含む前述した実施形態のいずれか一実施形態に記載の方法。
１３．  通信セッションを複製するステップは、通信セッションをＳＣＣ  ＡＳにアンカリングするステップを含む前述した実施形態のいずれか一実施形態に記載の方法。
１４．  通信セッション複製要求を送信するステップは、第１のＷＴＲＵによって実行される前述した実施形態のいずれか一実施形態に記載の方法。
１５．  通信セッション複製要求を送信するステップは、第２のＷＴＲＵによって実行される前述した実施形態のいずれか一実施形態に記載の方法。
１６．  通信セッション複製要求は、通信セッションを示す前述した実施形態のいずれか一実施形態に記載の方法。
１７．  通信セッションを複製するステップは、通信セッションが遠隔デバイスに関連付けられているという条件付きで通信セッションを複製するステップを含む前述した実施形態のいずれか一実施形態に記載の方法。
１８．  通信セッションを複製するステップは、通信セッションが第１のＷＴＲＵに関連付けられているという条件付きで通信セッションを複製するステップを含む前述した実施形態のいずれか一実施形態に記載の方法。
１９．  通信セッションを複製するステップは、通信セッションが第２のＷＴＲＵに関連付けられているという条件付きで通信セッションを複製するステップを含む前述した実施形態のいずれか一実施形態に記載の方法。
２０．  通信セッションを複製するステップは、通信セッションを受信するステップを含む前述した実施形態のいずれか一実施形態に記載の方法。
２１．  通信セッションを複製するステップは、第１のＷＴＲＵにおいて通信セッションを受信するステップを含む前述した実施形態のいずれか一実施形態に記載の方法。
２２．  通信セッションを複製するステップは、第２のＷＴＲＵにおいて通信セッションを受信するステップを含む前述した実施形態のいずれか一実施形態に記載の方法。
２３．  通信セッションを複製するステップは、第２のＷＴＲＵが複数のＷＴＲＵを含むという条件付きで、通信セッションを複製するステップを含む前述した実施形態のいずれか一実施形態に記載の方法。
２４．  通信セッションを複製するステップは、通信セッション複製要求がメディアフローを示すという条件付きで、通信セッションを複製するステップを含む前述した実施形態のいずれか一実施形態に記載の方法。
２５．  通信セッションを受信するステップは、メディアフローを受信するステップを含む前述した実施形態のいずれか一実施形態に記載の方法。
２６．  メディアフローを受信するステップは、複数のメディアフローを受信するステップを含む前述した実施形態のいずれか一実施形態に記載の方法。
２７．  通信セッション複製要求を送信するステップは、遠隔デバイスに通信セッション複製要求を送信するステップを含む前述した実施形態のいずれか一実施形態に記載の方法。
２８．  通信セッションを複製するステップは、通信セッション複製要求が協調セッションを示すという条件付きで通信セッションを複製するステップを含む前述した実施形態のいずれか一実施形態に記載の方法。
２９．  通信セッションを複製するステップは、通信セッション複製要求が移転されるセッション制御を示すという条件付きで通信セッションを複製するステップを含む前述した実施形態のいずれか一実施形態に記載の方法。
３０．  通信セッションを複製するステップは、通信セッション複製要求が共有されるセッション制御を示すという条件付きで通信セッションを複製するステップを含む前述した実施形態のいずれか一実施形態に記載の方法。
３１．  通信セッションを複製するステップは、通信セッション複製要求がセッション制御の保持を示すという条件付きで通信セッションを複製するステップを含む前述した実施形態のいずれか一実施形態に記載の方法。
３２．  通信セッションを複製するステップは、単一の装置が第１のＷＴＲＵと、第２のＷＴＲＵとを含むという条件付きで通信セッションを複製するステップを含む前述した実施形態のいずれか一実施形態に記載の方法。
３３．  通信セッションを複製するステップは、第１のＷＴＲＵに通信セッションを送信するステップを含む前述した実施形態のいずれか一実施形態に記載の方法。
３４．  通信セッションを複製するステップは、第２のＷＴＲＵに複製された通信セッションを送信するステップを含む前述した実施形態のいずれか一実施形態に記載の方法。
３５．  通信セッションを複製するステップは、通信セッション複製要求を受信するステップを含む前述した実施形態のいずれか一実施形態に記載の方法。
３６．  通信セッションを複製するステップは、通信セッションを発見するステップを含む前述した実施形態のいずれか一実施形態に記載の方法。
３７．  通信セッションを複製するステップは、第１のＷＴＲＵを発見するステップを含む前述した実施形態のいずれか一実施形態に記載の方法。
３８．  通信セッションを複製するステップは、第２のＷＴＲＵを発見するステップを含む前述した実施形態のいずれか一実施形態に記載の方法。
３９．  通信セッションを複製するステップは、ユーザ入力に応答して通信セッションを複製するステップを含む前述した実施形態のいずれか一実施形態に記載の方法。
４０．  通信セッションを複製するステップは、ポリシーに応答して通信セッションを複製するステップを含む前述した実施形態のいずれか一実施形態に記載の方法。
４１．  通信セッションを複製するステップは、サービス中断に応答して通信セッションを複製するステップを含む前述した実施形態のいずれか一実施形態に記載の方法。
４２．  通信セッションを複製するステップは、サービス品質メトリックに応答して通信セッションを複製するステップを含む前述した実施形態のいずれか一実施形態に記載の方法。
４３．  通信セッションを複製するステップは、第２のＷＴＲＵを検出したことに応答して通信セッションを複製するステップを含む前述した実施形態のいずれか一実施形態に記載の方法。
４４．  通信セッションを複製するステップは、通信セッションを検出したことに応答して通信セッションを複製するステップを含む前述した実施形態のいずれか一実施形態に記載の方法。
４５．  通信セッションを複製するステップは、肯定応答を受信するステップを含む前述した実施形態のいずれか一実施形態に記載の方法。
４６．  通信セッションを複製するステップは、通信セッションを終了させるステップを含む前述した実施形態のいずれか一実施形態に記載の方法。
４７．  通信セッションを複製するステップは、第２のＷＴＲＵにおいて通信セッションを終了させることなしに、第１のＷＴＲＵにおいて通信セッションを終了させるステップを含む前述した実施形態のいずれか一実施形態に記載の方法。
４８．  通信セッションを複製するステップは、第１のＷＴＲＵにおいて通信セッションを終了させることなしに、第２のＷＴＲＵにおいて通信セッションを終了させるステップを含む前述した実施形態のいずれか一実施形態に記載の方法。
４９．  前述した実施形態のいずれか一実施形態の少なくとも一部を実行するように構成されたＷＴＲＵ（ワイヤレス送信／受信ユニット）。
５０．  前述した実施形態のいずれか一実施形態の少なくとも一部を実行するように構成された基地局。
５１．  前述した実施形態のいずれか一実施形態の少なくとも一部を実行するように構成された集積回路。
【００７９】
特徴および要素は、特定の組合せで、前段で説明されるものの、各特徴、または各要素は、単独で使用されることも、他の特徴および要素と任意に組み合わせて使用されることもあり得ることが、当業者には理解されよう。さらに、本明細書で説明される方法は、コンピュータプログラムで実施されても、ソフトウェアで実施されても、コンピュータもしくはプロセッサによって実行されるようにコンピュータ可読媒体に組み込まれたファームウェアで実施されてもよい。コンピュータ可読媒体の例には、電子信号（有線接続またはワイヤレス接続を介して伝送される）およびコンピュータ可読記憶媒体が含まれる。コンピュータ可読記憶媒体の例には、ＲＯＭ（読み取り専用メモリ）、ＲＡＭ（ランダムアクセスメモリ）、レジスタ、キャッシュメモリ、半導体メモリデバイス、内部ハードディスクおよびリムーバブルなディスクなどの磁気媒体、光磁気媒体、ならびにＣＤ−ＲＯＭディスクおよびＤＶＤ（デジタルバーサタイルディスク）などの光媒体が含まれるが、以上には限定されない。ソフトウェアに関連するプロセッサが、ＷＴＲＵ、ＵＥ、端末装置、基地局、ＲＮＣ、または任意のホストコンピュータにおいて使用されるように無線周波数トランシーバを実施するのに使用され得る。
【図１Ａ】
2013511239.tif 000003
【図１Ｂ】
2013511239.tif 000004
【図１Ｃ】
2013511239.tif 000005
【図２】
2013511239.tif 000006
【図３】
2013511239.tif 000007
【図４】
2013511239.tif 000008
【図５】
2013511239.tif 000009
【図６】
2013511239.tif 000010
【図７】
2013511239.tif 000011
【図８】
2013511239.tif 000012
【手続補正書】
【提出日】平成24年7月17日(2012.7.17)
【手続補正１】
【補正対象書類名】特許請求の範囲
【補正対象項目名】全文
【補正方法】変更
【補正の内容】
【特許請求の範囲】
【請求項１】
ＩＭＳ（ＩＰ（インターネットプロトコル）マルチメディアサブシステム）通信セッションを複製するための方法であって、
第１のＷＴＲＵ（ワイヤレス送信／受信ユニット）によって通信セッションを受信するステップと、
前記第１のＷＴＲＵからＩＭＳネットワークエンティティに通信セッション複製要求を送信するステップであって、前記通信セッション複製要求は、前記通信セッションを第２のＷＴＲＵ上に複製する要求を示し、前記通信セッション複製要求は、前記第２のＷＴＲＵに関連付けられたＩＤをさらに示す、ステップと、
前記通信セッション複製要求に対する応答を受信するステップと、
前記通信セッションが複製された後、前記第１のＷＴＲＵによって前記通信セッションを受信することを続けるステップと
を備えることを特徴とする方法。
【請求項２】
前記通信セッションは、遠隔デバイスに関連付けられることを特徴とする請求項１に記載の方法。
【請求項３】
前記第１のＷＴＲＵと前記第２のＷＴＲＵは、異なるＩＭＳネットワークに関連付けられることを特徴とする請求項１に記載の方法。
【請求項４】
前記ＩＭＳネットワークエンティティは、ＳＣＣ  ＡＳ（Service Centralization and Continuity Application Server）であることを特徴とする請求項１に記載の方法。
【請求項５】
ＩＭＳ（ＩＰ（インターネットプロトコル）マルチメディアサブシステム）通信セッションを複製するためのＷＴＲＵ（ワイヤレス送信／受信ユニット）であって、
前記ＷＴＲＵは、
通信セッションを受信するように構成された受信機と、
ＩＭＳネットワークエンティティに通信セッション複製要求を送信するように構成された送信機であって、前記通信セッション複製要求は、前記通信セッションを第２のＷＴＲＵ上に複製する要求を示し、前記通信セッション複製要求は、前記第２のＷＴＲＵに関連付けられたＩＤをさらに示す送信機と
を備え、
前記受信機は、前記通信セッション複製要求に対する応答を受信するようにさらに構成され、さらに
前記受信機は、前記通信セッションが複製された後、前記通信セッションを受信するようにさらに構成されることを特徴とするＷＴＲＵ。
【請求項６】
前記通信セッションは、遠隔デバイスに関連付けられることを特徴とする請求項５に記載のＷＴＲＵ。
【請求項７】
前記第１のＷＴＲＵと前記第２のＷＴＲＵは、異なるＩＭＳネットワークに関連付けられることを特徴とする請求項５に記載のＷＴＲＵ。
【請求項８】
前記ＩＭＳネットワークエンティティは、ＳＣＣ  ＡＳ（Service Centralization and Continuity Application Server）であることを特徴とする請求項５に記載のＷＴＲＵ。
【請求項９】
ＩＭＳ（ＩＰ（インターネットプロトコル）マルチメディアサブシステム）通信セッションを複製するための方法であって、
ＩＭＳネットワークエンティティによって、第１のＷＴＲＵから通信セッション複製要求を受信するステップであって、前記通信セッション複製要求は、前記通信セッションを第２のＷＴＲＵ上に複製する要求を示し、前記通信セッション複製要求は、前記第２のＷＴＲＵに関連付けられたＩＤをさらに示す、ステップと、
前記通信セッション複製要求に対する応答を送信するステップであって、前記ＩＭＳネットワークエンティティは、通信セッション複製を実行することを可能にする、ステップと
を備えることを特徴とする方法。
【請求項１０】
前記通信セッションは、遠隔デバイスに関連付けられることを特徴とする請求項９に記載の方法。
【請求項１１】
前記第１のＷＴＲＵと前記第２のＷＴＲＵは、異なるＩＭＳネットワークに関連付けられることを特徴とする請求項９に記載の方法。
【請求項１２】
前記ＩＭＳネットワークエンティティは、ＳＣＣ  ＡＳ（Service Centralization and Continuity Application Server）であることを特徴とする請求項９に記載の方法。
【請求項１３】
通信セッションを複製するためのＩＭＳ（ＩＰ（インターネットプロトコル）マルチメディアサブシステム）ネットワークエンティティであって、
第１のＷＴＲＵから通信セッション複製要求を受信するように構成された受信機であって、前記通信セッション複製要求は、前記通信セッションを第２のＷＴＲＵ上に複製する要求を示し、前記通信セッション複製要求は、前記第２のＷＴＲＵに関連付けられたＩＤをさらに示す受信機と、
前記通信セッション複製要求に対する応答を送信するように構成された送信機と
を備え、
通信セッション複製を実行することを可能にすること
を特徴とするＩＭＳネットワークエンティティ。
【請求項１４】
前記通信セッションは、遠隔デバイスに関連付けられることを特徴とする請求項１３に記載のＩＭＳネットワークエンティティ。
【請求項１５】
前記第１のＷＴＲＵと前記第２のＷＴＲＵは、異なるＩＭＳネットワークに関連付けられることを特徴とする請求項１３に記載のＩＭＳネットワークエンティティ。
【国際調査報告】
2013511239.tif 000013
2013511239.tif 000014